(57)【要約】【課題】  握持保持する際に装着部が手に接触することが回避でき、手に違和感を与えるのを防止するとともに、魚のヌメリ、海水、ゴミ等が装着部に付着し難い魚釣用リールを提供すること。【解決手段】  釣糸をスプール２０に巻き取るハンドル３０に対して反対側の左フレーム１４ｂに左側板１６ｂを装着して用いる魚釣用リール１０にあっては、左フレーム１４ｂに対して左側板１６ｂを固定するために操作する着脱ネジ７８の頭部７８ａを、左側板１６ｂの下部の外周上に配置した。【選択図】    図２
2011024527.tif 000002
【特許請求の範囲】
【請求項１】
フレームの外側に側板を装着して構成されるリール本体の側部に、釣糸をスプールに巻き取るハンドルが取り付けられた魚釣用リールであって、
前記フレームに対して側板を固定するために操作する固定操作部を前記ハンドルに対して反対側のリール本体の側部の下部の外周領域に配置したことを特徴とする魚釣用リール。
【請求項２】
前記固定操作部は、前記リール本体の後方側に向けて操作する方向が締め付け固定方向に設定されたネジを有することを特徴とする請求項１に記載の魚釣用リール。
【請求項３】
前記固定操作部は、前記リール本体の側部の下部のうち、前記スプールのスプール軸よりも前方側に設けられていることを特徴とする請求項１もしくは請求項２に記載の魚釣用リール。
【発明の詳細な説明】
【技術分野】
【０００１】
本発明は、魚釣用リールに関し、特に、フレームに対する側板（サイドプレート）の固定構造に関する。
【背景技術】
【０００２】
魚釣用リールのハンドルに対して反対側（反ハンドル側）の側板は、スプールの着脱やバックラッシュ発生時の糸解し作業、或いは、スプール制動装置の調節、清掃等が行えるように、フレームに対して着脱可能に構成されている。  
着脱の方法としては、例えば特許文献１で見られるように、側板の前方側部に設けたネジを緩めてフレームに対する側板の回転規制状態を解除後、側板を回転しフレームに対する係止状態を解放することで側板を取り外す方法や、特許文献２で見られるように、ハンドル側の側板から反ハンドル側の側板に向けて挿入されたネジ棒を緩めてフレームに対する側板の回転規制状態を解除後、側板を回転しフレームに対する係止状態を解放することで側板を取り外す方法等が知られている。
【先行技術文献】
【特許文献】
【０００３】
【特許文献１】特開平８−２５６６４８号公報
【特許文献２】特開２００５−２１８４０１号公報
【発明の概要】
【発明が解決しようとする課題】
【０００４】
例えば特許文献１は、側板の前方側部にネジが露出するので、魚釣用リールを握持保持する手の掌にネジの頭部が接触して違和感がある。また、手に付着している魚のヌメリや異物がネジの頭部に不必要に付着し易い。  
また、特許文献２も、ネジの頭部がハンドル側の側板の上部に位置するので、海水、ゴミ等が付着し易く、釣糸も絡み付き易い。  
この発明は、このような課題を解決するためになされたものであり、握持保持する際に装着部が手に接触することが回避でき、手に違和感を与えるのを防止するとともに、魚のヌメリ、海水、ゴミ等が装着部に付着し難い魚釣用リールを提供することを目的とする。
【課題を解決するための手段】
【０００５】
上記課題を解決するために、この発明に係る、フレームの外側に側板を装着して構成されるリール本体の側部に、釣糸をスプールに巻き取るハンドルが取り付けられた魚釣用リールにあっては、前記フレームに対して側板を固定するために操作する固定操作部を前記ハンドルに対して反対側のリール本体の側部の下部の外周領域に配置したことを特徴とする。  
また、前記固定操作部は、前記リール本体の後方側に向けて操作する方向が締め付け固定方向に設定されたネジを有することが好ましい。  
また、前記固定操作部は、前記リール本体の側部の下部のうち、前記スプールのスプール軸よりも前方側に設けられていることが好ましい。
【発明の効果】
【０００６】
フレームに対して側板を固定するために操作する固定操作部をリール本体のハンドルに対して反対側の側部の下部の外周領域に配置したことによって、釣竿とともに魚釣用リールを握持保持する際に側部の下部の外周領域の固定操作部に手が接触するのを回避できるので、魚釣用リールを握持保持する際の側部に対する違和感がなく、魚のヌメリ、海水、ゴミ等が固定操作部に付着するのを防止できる。また、実釣時や釣場移動時に固定操作部に外力が加わり難くなるので、固定操作部やそれを受けるフレーム等に支障をきたすのを防止できる。  
リールの後方側に向けて固定操作部を操作する方向が締め付け固定方向に設定されているので、実釣時にリールを持ち替える際、リールの後側を持った手に対して他の手でリールの対角上の前側を保持するのが通常の動作であるため、側部にある固定操作部は、右手から左手に、又は、左手から右手に持ち替える際に手が当たっても不必要な緩みを防止できる。  
また、リール本体の側部の下部のうち、スプール軸よりも前方側は、釣竿およびリールを握持保持する際の手と側板との間に形成されるデッドスペース（特に手が触れ難い部分）となる。このため、この部分に固定操作部を配設することによって、固定操作部が手に触れることがより確実に回避できる。
【図面の簡単な説明】
【０００７】
【図１】第１の実施の形態に係る魚釣用リールを示す、図２および図３中の矢印Ｉ方向から観察した状態を示す概略的な上面図。
【図２】第１の実施の形態に係る、釣竿を取り付けた魚釣用リールを図１および図３中の矢印ＩＩ方向から観察した状態を示す概略的な側面図。
【図３】第１の実施の形態に係る、釣竿を取り付けた魚釣用リールを図１および図２中の矢印ＩＩＩ方向から観察した状態を示す概略的な正面図。
【図４】第１の実施の形態に係る魚釣用リールのうち、ハンドルが取り付けられた側と反対側から観察した状態を示し、かつ、左側板を取り外した状態を示す概略図。
【図５】第１の実施の形態に係る魚釣用リールの左側板を示し、（Ａ）は左側板の正面図、（Ｂ）は左側板の背面図、（Ｃ）は図５（Ｂ）中の５Ｃ−５Ｃ線に沿う概略的な断面図。
【図６】第１の実施の形態に係る魚釣用リールのうち、図４に示す魚釣用リールの左フレームに、図５に示す魚釣用リールの左側板を取り付けた状態を示す概略的な側面図。
【図７】第１の実施の形態に係る魚釣用リールを示し、（Ａ）は図６中の７Ａ−７Ａ線に沿う概略的な断面図、（Ｂ）は図６中の７Ｂ−７Ｂ線に沿う概略的な断面図、（Ｃ）は図６中の７Ｃ−７Ｃ線に沿う概略的な断面図。
【図８】第１の実施の形態に係る魚釣用リールの左側板に用いられる着脱ネジの変形例を示す概略的な部分断面図。
【図９】第２の実施の形態に係る魚釣用リールを示す、図１０中の矢印ＩＸ方向から観察した状態を示す概略的な上面図。
【図１０】第２の実施の形態に係る魚釣用リールを図９中の矢印Ｘ方向から観察した状態を示す概略的な側面図。
【図１１】第２の実施の形態に係る魚釣用リールの左側板を示し、（Ａ）は左側板の正面図、（Ｂ）は左側板の背面図。
【図１２】（Ａ）は第２の実施の形態に係る魚釣用リールのうち、ハンドルが取り付けられた側と反対側から観察した状態を示し、かつ、左フレームに左側板を取り付けるためにスプール軸の第１軸部と、左側板のバックラッシュ防止機構の中心凹部とを嵌合させた状態を示す概略図、（Ｂ）はスプール軸の第１軸部と、左側板のバックラッシュ防止機構の中心凹部とを嵌合させた状態で左フレームに対して左側板を回動させてフレーム側係合部に側板側係合部を係合させるとともに、着脱ネジのネジ部を左フレームのネジ穴に配置した状態を示す概略図。
【図１３】第２の実施の形態に係る魚釣用リールの左フレームのネジ穴に左側板の着脱ネジのネジ部を螺合させるための動作を示し、（Ａ）は図１２（Ａ）中の１３Ａ−１３Ａ線に沿う概略的な断面図、（Ｂ）は図１２（Ａ）に示す状態から図１２（Ｂ）に示す状態に向かう途中の状態を示す概略的な断面図、（Ｃ）は図１２（Ｂ）中の１３Ｃ−１３Ｃ線に沿う概略的な断面図。
【発明を実施するための形態】
【０００８】
図１から図７は、本発明の好ましい第１実施形態による魚釣用リール１０を示す。  
図１から図３に示すように、本実施形態の魚釣用リール１０は、両軸受型手巻きリールとして形成してある。図２および図３に示すように、ここでは釣り人が左手ＬＨで竿８および魚釣用リール１０を保持し、図示しない右手で魚釣用リール１０の右側部のハンドル３０を回すように形成されている場合について説明する。もちろん、左手ＬＨでハンドル３０を操作するようにハンドル３０の配置が逆（左側部）であっても良い。
【０００９】
図１に示すように、魚釣用リール１０のリール本体１２は、図示しない連結部材等で一体化される左右一対のフレーム１４ａ，１４ｂのそれぞれの外側に、例えばビス、螺合あるいは嵌合等の手段を適宜に組み合わせて側板１６ａ，１６ｂを取り付けて、全体的に剛性構造のハウジングとして形成され、フレーム１４ａ，１４ｂ間に配設されたリール取付脚部１８を介して釣竿８に固定される。  
なお、リール本体１２の左右一対のフレーム１４ａ，１４ｂの上側であって、側板１６ａ，１６ｂの間にはサムレスト１９が、例えばビス、螺合あるいは嵌合等の手段を適宜に組み合わせて取り付けられている。この実施形態では、サムレスト１９の外観は後述するスプール２０に巻回された釣糸に親指Ｆ１をかけてサミング操作を行うためにリール１０の後側が開いた略Ｕ字状である。
【００１０】
釣糸が巻回されるスプール２０は、左右のフレーム１４ａ，１４ｂ間に回転自在に支持され、右側板１６ａは、スプール２０を回転駆動させる巻取り駆動部２２を支持し、この右側板１６ａと右フレーム１４ａとの間に形成された空間内に、この巻取り駆動部２２を形成する駆動力伝達系やドラグ系等の各種機構が収容されている。なお、左右は図１中における左右方向を示し、前後は図１中の上下に相当する。
【００１１】
このリール本体１２のフレーム１４ａ，１４ｂ間には、スプール軸２６の両端部が、例えばボール軸受２８ａ，２８ｂを介して回転自在に支持されている。スプール軸２６は、第１軸部２６ａと、第２軸部２６ｂとを同軸上に備え、第２軸部２６ｂはハンドル３０側に配設され、第１軸部２６ａはハンドル３０とは反対側（反ハンドル側）に配設されている。そして、スプール軸２６の第１軸部２６ａはスプール２０に装着されスプール２０と一体的に回転する。スプール軸２６の第２軸部２６ｂは、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８が同軸上に配置されている。そして、スプール軸２６の第１軸部２６ａと第２軸部２６ｂとの端部（リール本体１２の中央側端部）同士を突き合わせた場合、一緒に回転する。  
なお、ハンドル軸３４には、公知のスタードラグ（ドラグ調整ノブ）４２が配設され、ドライブギヤ３６には公知のドラグ機構４４が配設されているが、これらについては説明を省略する。
【００１２】
ピニオンギヤ３８は、公知のクラッチ（伝達機構）４８を介して、側板１６ａ，１６ｂ間に配置したクラッチレバー５０と連動しており、このクラッチレバー５０を下方に押圧作動することにより、クラッチ４８がＯＦＦとなり軸方向に沿って図１中の右側に移動することができる。例えば、クラッチレバー５０の操作により、スプール軸２６の第２軸部２６ｂの右端部にピニオンギヤ３８が嵌合した位置すなわち巻取状態と、スプール軸２６の第２軸部２６ｂの右端部からピニオンギヤ３８を分離した状態（スプールフリー状態）とすることができる。又、ピニオンギヤ３８が分離した状態で、ハンドル３０を回転させると、図示しない公知の復帰機構を介して、ピニオンギヤ３８がスプール軸２６の第２軸部２６ｂの右端部に嵌合して元の状態（巻取状態）に復帰し、スプール軸２６の第１軸部２６ａと一体化されているスプール２０が、ピニオンギヤ３８と共に一体的に回転する。
【００１３】
このスプール２０は、軸方向の両側に形成された一対の鍔部２０ａ間に位置する円筒状の胴部２０ｂを有し、スプール軸２６の第１軸部２６ａに一体的に装着され、一対の鍔部２０ａと釣糸巻回胴部２０ｂの外周面とで形成される環状溝内に釣糸（図示しない）が巻回される。この環状溝の底部を形成する胴部２０ｂ上に釣糸（図示しない）を均等に巻回するため、ハンドル３０の釣糸巻取り回転に連動して、一対の左右のフレーム１４ａ，１４ｂ間を往復動する公知のレベルワインド機構５２が配置されている。このレベルワインド機構５２は、右側板１６ａ内の駆動部と連動する係合子を左右に移動することにより、ハンドル３０の回転操作にともなって、釣糸をスプール２０の胴部２０ｂ上に均等に巻き取ることができる。  
なお、フレーム１４ａ，１４ｂ間には、レベルワインド機構５２を覆い、釣糸が絡みつくのを防止する前カバー５４が固定されている。
【００１４】
図４に示す左フレーム１４ｂに対しては図５に示す左側板１６ｂを着脱可能であり、左フレーム１４ｂに左側板１６ｂを取り付けた状態を図６に示す。  
図４に示すように、左フレーム１４ｂは、平面部６２と、この平面部６２の縁部から外側（反ハンドル側）に延出された下側フランジ部６４とを有する。下側フランジ部６４は左フレーム１４ｂの下側から後側にかけて連続的に形成されている。平面部６２は後ろ側が略円形状で、前側に向かうにつれ次第に細くなっている。この形状は、サムレスト１９の上側に左手ＬＨの親指Ｆ１を載せ、左フレーム１４ｂの下側フランジ部６４を左手ＬＨの人差し指Ｆ２で保持したときに、リール１０と指Ｆ１，Ｆ２との間に隙間なく保持できる形状である。
【００１５】
サムレスト１９は、左フレーム１４ｂの平面部６２に対して例えばネジ６５で例えば２箇所に固定されている。１つ目の固定箇所はサムレスト１９のうち左フレーム１４ｂに対してハンドル３０と反対側に突出した左側縁部１９ａの下側である。２つ目の固定箇所は、サムレスト１９の左側縁部１９ａの後側であって、下側フランジ部６４の後側の端部の近傍である。なお、サムレスト１９の後端部の外表面は面取りされ、下側フランジ部６４の後側の端部との間の隙間が小さく、下側フランジ部６４の後側の端部と、左フレーム１４ｂの下側フランジ部６４の後端部との間の境界部分は、指等に対する引っ掛かりなく滑らかに処理されている。
【００１６】
左フレーム１４ｂの平面部６２には、その構造については公知のものが種々あるので詳細には説明しないバックラッシュ防止機構５６が配置されている。バックラッシュ防止機構５６は、左フレーム１４ｂの平面部６２に設けられた複数の保持部５６ａによって左フレーム１４ｂの平面部６２に保持されている。
【００１７】
そして、左フレーム１４ｂの平面部６２及び下側フランジ部６４と、サムレスト１９の左側縁部１９ａとによって形成された空間に、バックラッシュ防止機構５６が配置されている。なお、バックラッシュ防止機構５６は左フレーム１４ｂの平面部６２に対して着脱可能であり、バックラッシュ防止機構５６を取り外した状態でスプール２０を着脱可能である。  
なお、バックラッシュ防止機構５６は必ずしも必要というものではなく、単にスプール軸２６を保持するボール軸受２８ｂが配設され、保持部５６ａが形成されていれば良い。
【００１８】
左フレーム１４ｂの平面部６２には、左側板１６ｂの後述する着脱ネジ７８が螺合するネジ穴６２ａが形成されている。このネジ穴６２ａは左フレーム１４ｂの下側フランジ部６４の下側前方縁部６４ａに近接した位置に形成されている。また、左フレーム１４ｂの平面部６２には、左側板１６ｂの後述するピン８０が嵌合する孔部６２ｂが形成されている。この孔部６２ｂは左フレーム１４ｂの下側フランジ部６４の下側後方縁部６４ｂに近接した位置に形成されている。  
なお、図４に示すように、左フレーム１４ｂの下側フランジ部６４の下側前方縁部６４ａは、図４中、左上がりの傾斜に形成され、下側後方縁部６４ｂは、図４中、右上がりの傾斜に形成されている。すなわち、図４中、下側前方縁部６４ａは、釣竿８が装着されるリール取付脚部１８に対して前方側に向かうにつれて離れていくようになっている。また、下側後方縁部６４ｂは、リール取付脚部１８に対して後方側に向かうにつれて離れていくようになっている。
【００１９】
図５（Ａ）および図５（Ｂ）に示すように、左側板１６ｂは、左手ＬＨの掌を受ける外面部７２と、上側縁部７４と、下側縁部７６とを一体的に有する。  
外面部７２は、左手ＬＨの掌を受けるように膨出した表面部７２ａと、バックラッシュ防止機構５６を収容する凹状の裏面部７２ｂとを有する。上側縁部７４および下側縁部７６は外面部７２の表面部７２ａおよび裏面部７２ｂに滑らかに連続して形成されている。
【００２０】
上側縁部７４（図７（Ａ）参照）は、この実施形態ではサムレスト１９の左側縁部１９ａに嵌合する嵌合部として形成され、例えばその後方側で外方に向かって突出する突起部（爪部）７４ａを有する。そして、上側縁部７４はその突起部７４ａによってサムレスト１９の左側縁部１９ａの下側の所定の位置に嵌合される。左側板１６ｂの上側縁部７４とサムレスト１９の左側縁部１９ａとが嵌合された場合、サムレスト１９の左側縁部１９ａと左側板１６ｂの外面部７２との間の隙間は小さく、サムレスト１９の左側縁部１９ａと左側板１６ｂの外面部７２との間の境界部分は、指等に対する引っ掛かりなく滑らかに処理されている。
【００２１】
下側縁部７６のうちスプール軸２６よりも前側部７６ａには、図５（Ａ）から図５（Ｃ）に示すように、着脱ネジ７８が装着されている。着脱ネジ７８は、前側部７６ａの凹部７６ｃを通して頭部（固定操作部）７８ａの一部が回転操作可能となっている。なお、頭部７８ａの一部は、前側部７６ａの外表面に対して突出していても、前側部７６ａの外表面に対して引き込まれた状態にあっても、操作可能であれば良い。そして、着脱ネジ７８のネジ部７８ｂは外面部７２の表面部７２ａに対して離れた側に突出し、左フレーム１４ｂのネジ穴６２ａに螺合可能である。着脱ネジ７８のネジ部７８ｂおよび左フレーム１４ｂのネジ穴６２ａは左ネジとして形成されている。これは、後述するが、釣竿８やリール１０の操作の際に指が当たっても着脱ネジ７８が締まる方向に力を加えるようにするためである。
【００２２】
外面部７２の裏面部７２ｂ側であって、下側縁部７６の後側部７６ｂには、図５（Ｂ）に示すように、左フレーム１４ｂの平面部６２の孔部６２ｂに嵌合されるピン８０が外面部７２の表面部７２ａに対して離れた側に突出形成されている。このため、サムレスト１９の左側縁部１９ａに嵌合する上側縁部７４の突起部７４ａとともに左フレーム１４ｂに対して左側板１６ｂを位置決めすることができる。なお、図７（Ｂ）に示すように、ピン８０は円筒状に形成された部分を有し、すなわち、空間８０ａを有するので、ピン８０はピン８０の中心軸方向に向かって弾性変形により伸縮できる。
【００２３】
図５（Ｂ）および図５（Ｃ）に示すように、左側板１６ｂの下側縁部７６の前側部７６ａの凹部７６ｃに隣接した位置であって、外面部７２の裏面部７２ｂ側には、着脱ネジ７８を支持する支持部８２が形成されている。支持部８２には、着脱ネジ７８の頭部７８ａから図５（Ｃ）中の下側（外面部７２の裏面部７２ｂ側）に突出する軸部７８ｃを回転可能に支持する丸穴部８２ａが形成されている。支持部８２に隣接する位置には、１対のネジ穴８４が形成されている。そして、着脱ネジ７８のネジ部７８ｂを受け入れる凹状部８６ａを有するプレート８６で、着脱ネジ７８の頭部７８ａを回転可能に押さえつつ、プレート８６を留めネジ８８で固定することにより、着脱ネジ７８の頭部７８ａが支持部８２とプレート８６との間から脱落を防止した状態で回転操作可能に配設されている。
【００２４】
以下、図４に示すリール本体１２の左フレーム１４ｂに図５（Ａ）および図５（Ｂ）に示す左側板１６ｂを取り付ける取付方法について説明する。  
まず、左側板１６ｂの上側縁部７４の突起部７４ａをサムレスト１９の左側縁部１９ａの下側に配置すると、左側板１６ｂのピン８０の先端側が左フレーム１４ｂの孔部６２ｂに嵌め込まれる。このとき、着脱ネジ７８のネジ部７８ｂはネジ穴６２ａの入口にある。そして、左フレーム１４ｂの下側フランジ部６４と、左側板１６ｂの下側縁部７６とは離れた状態にある。
【００２５】
図６に示す状態で着脱ネジ７８の頭部７８ａを後側（図６中の右側）に向かって回転させると、左ネジの作用によりネジ部７８ｂがネジ穴６２ａに螺合されていく。このため、左側板１６ｂのピン８０が左フレーム１４ｂの孔部６２ｂに対して深く嵌め込まれるとともに、左フレーム１４ｂの下側フランジ部６４と、左側板１６ｂの下側縁部７６とが近接し、最終的には当接する。  
このとき、図７（Ａ）に示すように、サムレスト１９の左側縁部１９ａに対して左側板１６ｂの上側縁部７４が嵌合し、図７（Ｂ）に示すように、左側板１６ｂに設けられたピン８０が左フレーム１４ｂの孔部６２ｂに嵌合して左フレーム１４ｂの下側フランジ部６４の下側後方縁部６４ｂが左側板１６ｂの下側縁部７６の後側部７６ｂに当接し、図７（Ｃ）に示すように、左側板１６ｂに設けられた着脱ネジ７８のネジ部７８ｂが左フレーム１４ｂのネジ穴６２ａに螺合し、左フレーム１４ｂの下側フランジ部６４の下側前方縁部６４ａが左側板１６ｂの下側縁部７６の前側部７６ａに当接した状態である。
【００２６】
そして、釣竿８にリール取付脚部１８を取り付けた状態で釣竿８およびリール１０を握持保持する場合、通常は図２および図３に示すように握持保持する。すなわち、図３に示すように左手ＬＨの親指Ｆ１をサムレスト１９の上側に配し、図２および図３に示すように左手ＬＨの掌の一部を左側板１６ｂの外面部７２の表面部７２ａに当てつつ人差し指Ｆ２から小指Ｆ５を釣竿８にかける。このとき、図２および図３に示すように、着脱ネジ７８の頭部７８ａは左側板１６ｂの下側縁部７６の前側部７６ａに配設されているので、着脱ネジ７８の頭部７８ａに指が当たらない。
【００２７】
また、キャスティングする際には、釣竿８とリール１０を左手ＬＨから右手ＲＨに持ち替えて、右手ＲＨで釣竿８とリール１０を持ってキャスティングを行う。このとき、右手ではリール１０のハンドル３０の後側、すなわち、リール１０の右側後方を把持することとなる。このため、左側板１６ｂの下部の外周上にある着脱ネジ７８には手が当たることはない。  
キャスティング後、リール１０を右手から左手ＬＨに持ち替える。この際、右手と左手ＬＨで同時に釣竿８およびリール１０を把持する瞬間がある。右手ではリール１０の右側後方を握持しているため、左手ＬＨは右手の左前方の部分をまず握る。すなわち、左手ＬＨでリール１０の左前方を握る。その後、右手を離して左手ＬＨをリール１０の左前方から左後方にずらして左手ＬＨを本来の位置（図２および図３参照）を把持する。このように、リール１０の左前方から左後方に向けて左手ＬＨをずらす際、左側板１６ｂの着脱ネジ７８の頭部７８ａに触れる可能性があるが、その場合でも頭部７８ａを締め付ける方向に回転させることとなるので、誤って左側板１６ｂが外れることが防止される。
【００２８】
したがって、釣竿８とともにリール１０を左手ＬＨで握持保持する際に左側板１６ｂの下部の外周上に頭部７８ａの一部が操作可能に露出された着脱ネジ７８に手が接触するのを回避できるので、リール１０を握持保持する際の左側板１６ｂに対する違和感がなく、魚のヌメリ、海水、ゴミ等が着脱ネジ７８に付着するのを防止できる。また、釣糸が絡むのも防止できる。また、実釣時や釣場移動時に着脱ネジ７８に外力が加わり難くなるので、着脱ネジ７８やそれを受ける左フレーム１４ｂのネジ穴６２ａ等に支障をきたすのを防止できる。  
なお、図示しないが、左フレーム１４ｂの下側フランジ部６４の下側前方縁部６４ａは、着脱ネジ７８の頭部７８ａの一部を受け入れるように凹状に形成されていても良い。したがって、上述した頭部７８ａの一部が操作可能に露出された左側板１６ｂの下部の外周上とは、左側板１６ｂの下側縁部７６の領域、又は、左側板１６ｂの下側縁部７６および左フレーム１４ｂの下側フランジ部６４を合わせた領域であり、特に、左側板１６ｂの下側縁部７６の前側部７６ａの領域、又は、左側板１６ｂの下側縁部７６の前側部７６ａおよび左フレーム１４ｂの下側フランジ部６４の下側前方縁部６４ａを合わせた領域であることが好ましい。すなわち、左フレーム１４ｂに左側板１６ｂを装着したときの着脱ネジ７８の頭部７８ａはリール本体１２の左側部の下部の外周領域にあり、特に、左側部の下部の前側の外周領域にあることが好ましい。
【００２９】
さらに、左側板１６ｂにある着脱ネジ７８は、その頭部７８ａの一部のみが左側板１６ｂの下部の外周上に操作可能に露出された状態にあるので、実釣時や携帯時に魚釣用リール１０を右手から左手に持ち替える際に着脱ネジ７８の頭部７８ａが手に触れる機会があっても、左ネジとして形成され、これはリール本体１２の後方側に向けて操作する方向が締め付け固定方向に設定されているので、左フレーム１４ｂに対する左側板１６ｂの不必要な緩みを防止できる。
【００３０】
また、左側板１６ｂにある着脱ネジ７８は、その頭部７８ａの一部のみが左側板１６ｂの下部の前方側の外周上（左側部の下部の前方側の外周上）に操作可能に露出された状態にあるので、釣竿８およびリール１０を握持保持する際の掌と左側板１６ｂとの間に形成されるデッドスペース（特に手が触れ難い部分）に配設されていることにより、着脱ネジ７８が手に触れることがより確実に回避できる。
【００３１】
なお、左側板１６ｂを左フレーム１４ｂに対して取り外す際には、着脱ネジ７８の頭部７８ａを前側（図２中の左側）に回転させると、ネジ部７８ｂがネジ穴６２ａに深く螺合された状態から次第に浅くなり、左側板１６ｂの下側縁部７６が左フレーム１４ｂの下側フランジ部６４から離れていく。そして、サムレスト１９の左側縁部１９ａに対する左側板１６ｂの突起部７４ａの嵌合を解除すると、左側板１６ｂのピン８０が左フレーム１４ｂの孔部６２ｂに嵌合された状態も解除される。着脱ネジ７８の頭部７８ａを左フレーム１４ｂから離隔する方向に引っ張ることで、左フレーム１４ｂに対して容易に左側板１６ｂを開くことができる。  
このように、着脱ネジ７８を左側板１６ｂに設けることにより、着脱ネジ７８の頭部７８ａを左フレーム１４ｂに対して離隔する方向に引っ張ることで、左側板１６ｂを左フレーム１４ｂに対して容易に取り外すことができる。
【００３２】
なお、この実施形態では、左側板１６ｂに着脱ネジ７８を配置した場合について説明したが、左フレーム１４ｂの下側フランジ部６４の特に下側前方縁部６４ａに着脱ネジ７８を配置する構造であっても良い。この場合、ネジ部７８ｂは左側板１６ｂの外面部７２側に向かって延出されており、右ネジとして形成される。そして、着脱ネジ７８の頭部７８ａは、左フレーム１４ｂに左側板１６ｂを装着したときに左フレーム１４ｂの下側フランジ部６４だけに配置されるように形成されていても良いし、左フレーム１４ｂに加えて左側板１６ｂの両方に配置されるように形成されていても良い。この場合であっても着脱ネジ７８の頭部７８ａはリール本体１２の左側部の下部の前側の外周領域に配置されていると言える。  
また、ハンドル３０をリール本体１２の左側に設ける場合、着脱ネジ７８は右フレーム１４ａ又は右側板１６ａに設けられ、右フレーム１４ａの場合は左ネジとして、右側板１６ａの場合は右ネジとして形成される。
【００３３】
また、この実施形態では、頭部７８ａとネジ部７８ｂとが固定された着脱ネジ７８を用いる場合について説明したが、図８に示すように、頭部７８ａに対してネジ部７８ｂがその軸方向に移動可能に形成されていることが好適である。  
図８に示す着脱ネジ７８は、ネジ部７８ｂおよび軸部７８ｃが一体的に形成されている。頭部７８ａには付勢リング７８ｄが固定されている。付勢リング７８ｄは、ネジ部７８ｂおよび軸部７８ｃの軸方向の移動は許容するが、周方向の移動は規制する構造を有する。例えば、ネジ部７８ｂおよび軸部７８ｃには軸方向に沿って図示しない溝が形成され、頭部７８ａに固定された付勢リング７８ｄは溝に嵌まる図示しない内方突起を有し、その溝に沿って内方突起が軸方向には移動するが、周方向への移動は規制されている。そして、付勢リング７８ｄと支持部８２との間には、コイルバネ９０等の弾性部材が配設されている。コイルバネ９０によってネジ部７８ｂおよび軸部７８ｃを図８中の上側に付勢している。すなわち、ネジ部７８ｂは頭部７８ａに対して離れる方向に付勢されている。  
この着脱ネジ７８を用いると、左側板１６ｂの着脱ネジ７８のネジ部７８ｂを左フレーム１４ｂのネジ穴６２ａに螺合させる際に、ネジ穴６２ａの軸方向に対して着脱ネジ７８のネジ部７８ｂの軸方向を上述した実施形態よりも近接させることができる。このため、着脱ネジ７８のネジ部７８ｂをより容易にネジ穴６２ａに対して着脱可能に螺合することができる。
【００３４】
次に、第２実施形態について図９から図１３を用いて説明する。この実施形態は第１実施形態の変形例であって、第１実施形態と同一の部材又は同一の機能を有する部材には同一の符号を付し、詳しい説明を省略する。  
この実施形態では、図９から図１２に示す魚釣用リール１０の左フレーム１４ｂからバックラッシュ防止機構が除去され、左側板１６ｂの外面部７２の裏面部７２ｂに軸受２８ｂを有するバックラッシュ防止機構１２０が装着されている。なお、バックラッシュ防止機構１２０の内部構造については公知のものが種々あるので詳細には説明しない。また、左側板１６ｂに設けられている着脱ネジ７８は、この実施の形態では、図８に示す着脱ネジ７８を用いる場合について説明する。さらに、この実施形態ではサムレスト１９のうち、左フレーム１４ｂの平面部６２から左側に突出した左側縁部１９ａが除去され、左側板１６ｂの上側縁部７４の突起部７４ａ（図５−図７等参照）が除去された例について説明する。
【００３５】
図１１（Ａ）および図１１（Ｂ）に示すように、左側板１６ｂの外面部７２の凹状の裏面部７２ｂにはバックラッシュ防止機構１２０が固定された状態に収容されている。バックラッシュ防止機構１２０の外観は略円形状であり、その中心部にはスプール軸２６の第１軸部２６ａが回転可能に配設されるように軸受２８ｂを介して中心凹部１２０ａが形成されている。バックラッシュ防止機構１２０の外周縁部には、左フレーム１４ｂに対して左側板１６ｂを所定の位置に着脱可能に固定するために、所定の間隔ごとに形成された側板側係合部１２０ｂが形成されている。ここでは、側板側係合部１２０ｂは中心凹部１２０ａを中心として例えば略１２０度おきに３箇所形成されているが、側板側係合部１２０ｂの位置は適宜に設定可能である。  
左側板１６ｂの上側縁部７４は、この実施形態では、左側板１６ｂを左フレーム１４ｂに装着したときに、サムレスト１９の左側端面１９ｂおよび左フレーム１４ｂの後述する上側フランジ部６６に当接するとともに、サムレスト１９の左側端面１９ｂとの間の隙間が小さく、左側板１６ｂの上側縁部７４と、サムレスト１９の左側端面１９ｂとの間の境界部分は、指等に対する引っ掛かりなく滑らかに処理されている。  
そして、図１１（Ｂ）に示すように、左側板１６ｂの下側縁部７６は上側縁部７４と左側板１６ｂの前端側および後端側で環状に連続して形成されている。そして、左側板１６ｂの上側縁部７４および下側縁部７６のうち、左フレーム１４ｂおよびサムレスト１９の左側端面１９ｂとの当接面は平面状に形成されている。  
なお、第１実施形態で説明したピン８０（図５、図７（Ｂ）参照）は左側板１６ｂから除去されている。
【００３６】
一方、図１２（Ａ）および図１２（Ｂ）に示す左フレーム１４ｂは、第１実施形態で説明したバックラッシュ防止機構５６を収容する必要がないので、下側フランジ部６４の平面部６２に対する突出量は第１実施形態に比べて小さくなっている。そして、下側フランジ部６４に後端側で連続して上側フランジ部６６が形成されている。下側フランジ部６４および上側フランジ部６６のうち、左側板１６ｂの上側縁部７４および下側縁部７６との当接面は平面状に形成されている。なお、上側フランジ部６６のうち、左側板１６ｂの上側縁部７４との当接面は、サムレスト１９の左側端面１９ｂと面一に形成されていることが好ましい。  
図１２（Ａ）および図１２（Ｂ）に示すように、左フレーム１４ｂの平面部６２は、スプール軸２６の第１軸部２６ａが配設されたスプール２０を着脱可能な開口部１２４を有する。開口部１２４の外周縁部には、バックラッシュ防止機構１２０の側板側係合部１２０ｂが係合されるフレーム側係合部１２４ａが形成されている。フレーム側係合部１２４ａは例えば略１２０度おきに３箇所形成されている。  
左フレーム１４ｂのうち、平面部６２のネジ穴６２ａに隣接した位置には、短溝１２６が形成されている。この短溝１２６は、スプール軸２６の第１軸部２６ａを中心とする円弧の一部である。短溝１２６が形成された円弧上には、さらにネジ穴６２ａがある。そして、この短溝１２６には、着脱ネジ７８のネジ部７８ｂが配設される。なお、着脱ネジ７８のネジ部７８ｂは上述した図８に示すように、軸方向に沿って伸縮する。
【００３７】
次に、この実施形態に係る左側板１６ｂを左フレーム１４ｂに着脱する作用について説明する。ここでは、左フレーム１４ｂに対して左側板１６ｂを取り付ける作用について説明する。  
スプール軸２６の第１軸部２６ａが一体的に配設されたスプール２０を左フレーム１４ｂの平面部６２の開口部１２４を通した所定の位置に装着する。そして、図１２（Ａ）に示すように、左側板１６ｂの裏面部７２ｂに収容されたバックラッシュ防止機構１２０の中心凹部１２０ａにスプール軸２６の第１軸部２６ａの端部を配置する。このとき、図１３（Ａ）に示すように、左フレーム１４ｂの平面部６２の短溝１２６には着脱ネジ７８のネジ部７８ｂが配置されている。
【００３８】
左側板１６ｂはスプール軸２６の第１軸部２６ａを枢軸として左フレーム１４ｂに対して回動可能である。そして、左フレーム１４ｂに対して左側板１６ｂの前側を下側に、後側を上側に回動させると、左フレーム１４ｂの開口部１２４のフレーム側係合部１２４ａに対してバックラッシュ防止機構１２０の側板側係合部１２０ｂが係合する。  
このとき、図１３（Ｂ）に示すように、着脱ネジ７８のネジ部７８ｂは頭部７８ａに対する突出量が小さくなる（軸部７８ｃが支持部８２の丸穴部８２ａに対する配設量が大きくなる）ように弾性力により軸方向に移動しながら、スプール軸２６を中心とする円弧の一部である短溝１２６に沿って平面部６２のネジ穴６２ａに向かって移動し、図１３（Ｃ）に示すように着脱ネジ７８のネジ部７８ｂがネジ穴６２ａに嵌められる。
【００３９】
このとき、左フレーム１４ｂの上側フランジ部６６は左側板１６ｂの上側縁部７４に対向し、左フレーム１４ｂの下側フランジ部６４は左側板１６ｂの下側縁部７６に対向する。さらには、サムレスト１９の左側端面１９ｂは、左側板１６ｂの上側縁部７４に対向する。  
この状態で着脱ネジ７８の頭部７８ａを後方（図１０中の右側）に回転させて、着脱ネジ７８のネジ部７８ｂを左フレーム１４ｂの平面部６２のネジ穴６２ａに螺合していく。
【００４０】
このため、左フレーム１４ｂの上側フランジ部６６は左側板１６ｂの上側縁部７４に当接し、左フレーム１４ｂの下側フランジ部６４は左側板１６ｂの下側縁部７６に当接する。さらには、サムレスト１９の左側端面１９ｂは、左側板１６ｂの上側縁部７４に当接する。
【００４１】
この状態で、第１実施形態で説明したようにリール取付脚部１８に釣竿８を取り付けて魚釣用リール１０を釣竿８とともに握持保持して用いることができる。
【００４２】
一方、左フレーム１４ｂに対して左側板１６ｂを取り外す作用については、取り付ける作用の逆であるため、詳細な説明を省略する。  
この実施の形態によれば、左側板１６ｂを左フレーム１４ｂに対して回動させることによって、所定の位置に嵌合することができる。そして、左側板１６ｂにバックラッシュ防止機構１２０が収容され、左フレーム１４ｂに対して左側板１６ｂを取り外したら直ぐにスプール２０を取り外すことができるので、スプール２０の交換やメンテナンス性を向上できる。  
他の効果は上述した第１実施形態で説明したので、ここでの記載を省略する。  
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００４３】
１２…リール本体、１４ｂ…左フレーム、１６ｂ…左側板、１８…リール取付脚部、１９…サムレスト、１９ａ…左側縁部、２０…スプール、２６…スプール軸、２６ａ…第１軸部、２６ｂ…第２軸部、２８ａ，２８ｂ…ボール軸受、３０…ハンドル、５２…レベルワインド機構、５４…前カバー、５６…バックラッシュ防止機構、５６ａ…保持部、６２…平面部、６２ａ…ネジ穴、６２ｂ…孔部、６４…下側フランジ部、６４ａ…下側前方縁部、６４ｂ…下側後方縁部、６５…ネジ、７２…外面部、７４…上側縁部、７４ａ…突起部、７６…下側縁部、７６ａ…前側部、７６ｂ…後側部、７６ｃ…凹部、７８…着脱ネジ、７８ａ…頭部（固定操作部）、７８ｂ…ネジ部、７８ｃ…軸部、８０…ピン、８２…支持部、８２ａ…丸穴部、８４…ネジ穴、８６ａ…凹状部、８６…プレート、８８…留めネジ。
【図１】
2011024527.tif 000003
【図２】
2011024527.tif 000004
【図３】
2011024527.tif 000005
【図４】
2011024527.tif 000006
【図５】
2011024527.tif 000007
【図６】
2011024527.tif 000008
【図７】
2011024527.tif 000009
【図８】
2011024527.tif 000010
【図９】
2011024527.tif 000011
【図１０】
2011024527.tif 000012
【図１１】
2011024527.tif 000013
【図１２】
2011024527.tif 000014
【図１３】
2011024527.tif 000015